(57)【要約】【課題】射出時に成形材料のバックフローを防止する最外径が円筒面で構成されているプランジャによって計量、射出を行うようにした射出成形機を提供する。【解決手段】射出装置１００は、プランジャの最外径円筒部１８を有するプランジャ２を備えている。ノズルアダプタ６には、その側部に成形材料注入口３が設けられている。図示しない圧力制御装置は、計量工程において成形材料注入装置４から成形材料注入口３を介してバレル１のバレル内径穴部２３に成形材料を注入し、設定した背圧をかけながらプランジャ２を後退させて計量を行い、型閉後にプランジャ２を前進させて成形材料を金型内に射出させる。成形材料注入装置４は、充填圧を発生させてプランジャ２の前方に成形材料を注入させるもので、射出時に成形材料注入口３を介して成形材料注入装置４に成形材料がバックフローしないように、成形材料注入口３に逆流防止バルブ７を備えていることが好ましい。【選択図】図１
2015085667.tif 000002
【特許請求の範囲】
【請求項１】
射出装置を備え、バレルに設けられた内径部に供給された成形材料を金型内に射出して成形を行う成形サイクルを実行する射出成形機において、
前記バレル内に配設され、最外径が円筒面で構成され、前後進と回転が可能なプランジャと、
前記バレルにノズルが直接取り付けられている場合には該ノズルに設けられ、前記バレルに該ノズルがノズルアダプタを介して取り付けられている場合には該ノズル又は該ノズルアダプタに設けられた前記プランジャの前方に液状の成形材料を注入させる成形材料注入部と、
前記成形サイクルの計量工程において前記成形材料注入部から注入された前記液状の成形材料の圧力に基づいて前記プランジャの後退動作を制御する制御装置と、
を備えることを特徴とする射出成形機。
【請求項２】
前記成形材料注入部に、前記液状の成形材料の逆流を防止する逆流防止弁を備えたことを特徴とする請求項１に記載の射出成形機。
【請求項３】
前記射出装置の射出装置のベースに取り付けられたリニアガイドに支持され、前記プランジャに前後進力を伝えるプッシャプレートを備え、
前記制御装置は、前記プッシャプレートを駆動することにより背圧を０から１ＭＰａの低圧で制御可能であることを特徴とする請求項１または２の何れか一つに記載の射出成形機。
【請求項４】
前記バレルの根元部に、前記バレルの内径穴部に通じる第二の穴を備えたことを特徴とする請求項１〜３の何れか一つに記載の射出成形機。
【請求項５】
前記バレルにノズルが直接取り付けられている場合には該ノズルの内径部、前記バレルに該ノズルがノズルアダプタを介して取り付けられている場合には該ノズルの内径部又は該ノズルアダプタの内径部に、又は前記バレル前端の内径部に、液状の成形材料のバックフロー防止用のパッキンを備えていることを特徴とする請求項１〜４の何れか一つに記載の射出成形機。
【請求項６】
前記プランジャの先端部にミキシング部を備え、該プランジャを回転させながら計量を行うことを特徴とする請求項１〜５の何れか一つに記載の射出成形機。
【発明の詳細な説明】
【技術分野】
【０００１】
本発明は、射出成形機に関し、特に、プランジャを備えたインライン式射出成形機に関する。
【背景技術】
【０００２】
インライン式射出成形機は、１本のスクリュで固形樹脂の可塑化、計量、射出の成形サイクルの各工程を行っている。インライン式射出成形機では、バレルの根元部に設けられた材料投入口から投入されることで、スクリュに形成されたラセン溝の根元部に成形材料が供給され、スクリュ回転させることによって成形材料をスクリュの前方に送りつつ可塑化、混練し、スクリュ前方に成形材料を計量する。その後、金型を閉じてから成形材料を金型内部にスクリュを前進させて射出することで成形品を得る構造となっている。
【先行技術文献】
【特許文献】
【０００３】
【特許文献１】特開２００６−３３４９７４号公報
【特許文献２】特開平８−８０５４９号公報
【発明の概要】
【発明が解決しようとする課題】
【０００４】
従来、インライン式射出成形機よって液状シリコン成形等の非常に低粘度な性質を有する成形材料を成形する場合や、可塑化や混練を行う必要が無い場合も、バレルの根元部に設けられた材料投入口からスクリュの根元部に対応するバレルの内径部に成形材料を注入し、スクリュを回転させながら後退することで、スクリュ前方に成形材料を計量していた。
【０００５】
しかし、可塑化工程、混練工程が不要、またはほとんど不要な非常に低粘度な成形材料などの場合、前記スクリュで受ける剪断によって、かえって材料が劣化するなどの問題を生じることがある。また、少しだけ剪断、混練を行いたい成形材料の場合、フライトを持つスクリュの場合は、剪断、混練を前記成形材料に多くかけすぎてしまうことがあった。また、混練が不要にもかかわらず、成形材料をスクリュの前方に送り込む目的でフライトのらせん構造による送り込み力が必要となるため、ラセン溝を持つ高価なスクリュが必要となっていた。
【０００６】
プリプラ式射出成形機もあるが、これもインライン式と同様にスクリュによって可塑化、混練してノズル側に送り込む装置が装備されているため、成形材料が剪断よって劣化する問題、及び高価な可塑化・混練装置を必要とする点が問題となっていた（特許文献１，２）。
【０００７】
そこで、本発明の目的は、上記従来技術の問題点を解決するために、最外径が円筒面で構成されているプランジャによって、液状の成形材料の計量および射出を行うようにした射出成形機を提供することである。
【課題を解決するための手段】
【０００８】
本発明では、不要なラセン溝を持つスクリュの代わりに、最外径が円筒面で構成されているプランジャによって計量、射出を行い、ノズル又はノズルアダプタから成形材料を注入する注入装置によってバレル内に液状の成形材料を注入するようにした。  
さらに、インライン式射出成形機の特徴であるプランジャの前後進、回転動作を用いて、圧力制御を行いながら計量動作を行う際に、前方にミキシング部を備えたプランジャを回転させることで、混練させながら計量を行うことも可能とした。
【０００９】
そして、本願の請求項１に係る発明は、射出装置を備え、バレルに設けられた内径部に供給された成形材料を金型内に射出して成形を行う成形サイクルを実行する射出成形機において、前記バレル内に配設され、最外径が円筒面で構成され、前後進と回転が可能なプランジャと、前記バレルにノズルが直接取り付けられている場合には該ノズルに設けられ、前記バレルに該ノズルがノズルアダプタを介して取り付けられている場合には該ノズル又は該ノズルアダプタに設けられた前記プランジャの前方に液状の成形材料を注入させる成形材料注入部と、前記成形サイクルの計量工程において前記成形材料注入部から注入された前記液状の成形材料の圧力に基づいて前記プランジャの後退動作を制御する制御装置と、を備えることを特徴とする射出成形機である。
【００１０】
請求項２に係る発明は、前記成形材料注入部に、前記液状の成形材料の逆流を防止する逆流防止弁を備えたことを特徴とする請求項１に記載の射出成形機である。
請求項３に係る発明は、前記射出装置の射出装置のベースに取り付けられたリニアガイドに支持され、前記プランジャに前後進力を伝えるプッシャプレートを備え、前記制御装置は、前記プッシャプレートを駆動することにより背圧を０から１ＭＰａの低圧で制御可能であることを特徴とする請求項１または２の何れか一つに記載の射出成形機である。
【００１１】
請求項４に係る発明は、前記バレルの根元部に、前記バレルの内径穴部に通じる第二の穴を備えたことを特徴とする請求項１〜３の何れか一つに記載の射出成形機である。  
請求項５に係る発明は、前記バレルにノズルが直接取り付けられている場合には該ノズルの内径部、前記バレルに該ノズルがノズルアダプタを介して取り付けられている場合には該ノズルの内径部又は該ノズルアダプタの内径部に、又は前記バレル前端の内径部に、液状の成形材料のバックフロー防止用のパッキンを備えていることを特徴とする請求項１〜４の何れか一つに記載の射出成形機である。
請求項６に係る発明は、前記プランジャの先端部にミキシング部を備え、該プランジャを回転させながら計量を行うことを特徴とする請求項１〜５の何れか一つに記載の射出成形機である。
【発明の効果】
【００１２】
本発明により、射出時に成形材料のバックフローを防止するために、最外径が円筒面で構成されているプランジャによって、液状の成形材料の計量および射出を行うようにした射出成形機を提供できる。つまり、可塑化工程、混練工程が不要、またはほとんど不要な成形材料の場合に、不要な剪断、混練を与えずに計量可能な、安価な射出成形機を提供できる。
【図面の簡単な説明】
【００１３】
【図１】本発明の実施形態を説明する図である。
【図２】ノズル内径部にパッキンを備えた実施形態を説明する図である。
【図３】ノズルアダプタの内径部にパッキンを備えた実施形態を説明する図である。
【図４】バレル前端の内径部にパッキンを備えた実施形態を説明する図である。
【図５】前方に短いミキシング部を備えたプランジャを説明する図である。
【発明を実施するための形態】
【００１４】
以下、本発明の実施形態を図面と共に説明する。  
図１は本発明の実施形態を説明する図である。射出成形機は、機台上に、射出装置と型締装置が対向して配置されている。インライン式射出成形機は、制御装置の制御に従ってバレル内の成形材料を金型内に射出して成形を行う成形サイクルを実行する。本発明に係る制御も前記制御装置において実行できる。成形サイクルは、射出工程、保圧工程、計量工程を含んで実行される。本発明は射出装置に特徴を有するので、その他の構成については説明を略する。本発明に係るインライン式の射出成形機は、液状の低粘度の材料を成形材料として加工する機械である。
【００１５】
射出装置１００は、内部が長軸方向に伸び、円筒状の内面を有する貫通穴であるところのバレル内径穴部２３が設けられたバレル１と、最外径が円筒面（プランジャの最外径円筒部１８）で構成されバレル１のバレル内径穴部２３内において前後進と回転が可能なプランジャ２と、を備えている。
【００１６】
プランジャ２のプランジャの最外径円筒部１８は、成形材料を金型のキャビティへ射出する際に、成形材料がプランジャの後端方向へバックフローすることを防止するために、プランジャ２の先端部に設けられている。そして、プランジャの最外径円筒部１８以外の部位の径は、プランジャ２の他の部分より径より小さい。これによって、プランジャ２の前進および後退を行う際の摩擦が大きくなるのを防止している。
【００１７】
バレル１の先端部には、ノズル５を装着するノズルアダプタ６が複数のボルト２１で固定してされている。ノズルアダプタ６には、バレル１のバレル内径穴部２３に液状の低粘度の成形材料を注入するために、その側部に成形材料注入口３と、バレル１のバレル内径穴部２３に注入された成形材料が成形材料注入口３から逆流しないように逆流防止バルブ７が設けられている。バレル１およびノズルアダプタ６の外周面に、バレル１内の温度を調整する温調デバイス１７が装着されている。バレル１の後端部２２はフロントプレート１５に固定されている。
【００１８】
図示しない圧力制御装置（前記射出成形機を制御する制御装置によって構成できる。）は、成形サイクルの計量工程において成形材料注入装置４から成形材料注入口３を介してバレル１のバレル内径穴部２３に成形材料を注入し、設定した背圧をかけながらプランジャ２を後退させて計量を行う（計量工程）。そして、型閉後に、プランジャ２を前進させて成形材料を金型内に射出させる（射出工程）。
【００１９】
成形材料注入装置４は、空圧または油圧または電動式モータによる駆動力等によって充填圧を発生させて、プランジャ２の前方のバレル１のバレル内径穴部２３に、成形材料注入口３から成形材料を注入する装置である。射出時に成形材料注入口３を介して成形材料注入装置４に成形材料がバックフローしないように、成形材料注入口３に逆流防止バルブ７を備えていることが好ましい。逆流防止バルブ７は、ニードル弁ノズル等で使われるバルブや、流路が形成された部材を回転させることによって流路を開閉するものなど耐久性に優れたバルブであることが好ましい。
【００２０】
射出装置１００は、更に、図示しない機台上に配設された射出装置のベース８を備えている。射出装置のベース８は、射出装置１００に備わった図示しないモータなどの駆動手段によって、ノズル５が図示しない金型にノズルタッチおよびリリースするように、前進および後退動作を行う。
【００２１】
射出装置のベース８にはリニアガイド９が固定されている。プッシャプレート１０は、リニアガイド９にガイドされてバレル１に対して前進および後退し、プランジャ２に前後進力を伝える。インライン式射出成形機のプッシャプレート１０は、図示しない計量用サーボモータの回転力が伝達されるプランジャ回転用プーリ１１と、ロードセル１２のような圧力検出器を備え、射出用ボールネジ１３等から受ける推力で前後進動作を行う。プッシャプレート１０には図示しない計量用サーボモータが取り付けられており、該計量用サーボモータの回転駆動力がプランジャ回転用プーリに伝達される。
【００２２】
射出用ボールネジ１３はリアプレート１４によって回転自在に支持されている。リアプレート１４には図示しない射出用サーボモータが取り付けられている。該射出用サーボモータによって駆動されるプッシャプレート１０がリニアガイド９によって前後方向にガイドされることで、プッシャプレート１０の移動時の摩擦抵抗が低減され、精密な背圧制御が可能である。さらに前記圧力制御装置によって、前記背圧を０から１ＭＰａの低圧で制御可能とすることで、低圧条件下でも、より精密な背圧制御が可能である。
【００２３】
バレル内径穴部２３の根元部に、前記バレル内径穴部２３に通じるバレルの第二の穴１６を備える。成形材料からガスが発生する場合、あるいはエアの巻き込みがある場合、これらをバレルの第二の穴１６から抜くことによって、シルバーストリークや気泡などの成形不良を低減させることができる。また、成形材料がバックフローしてプランジャ根元部に漏れ出てくる場合、このバレルの第二の穴１６から成形材料を簡単に除去することが可能となる。なお、バレルの第二の穴１６は、固形状の樹脂材料を用いて成形する場合の、固形状の成形材料を投入する投入口としても利用可能である。
【００２４】
本発明の射出成形機に使用される成形材料は低粘度のものであるので流動性が高いことから、バレル１の内径とプランジャ２の外径との隙間からプランジャ２の根元方向へ成形材料が流れ易くなる。その流れを防止するために所定箇所にパッキンを装着する。図２はノズル内径部に、図３はノズルアダプタ内径部に、図４はバレル前端の内径部にパッキン１９を備えた実施形態を説明する図である。ノズル内径部又はノズルアダプタ内径部又はバレル前端の内径部に、パッキン１９を備えることで、成形材料が後方にバックフローすることを防止できる。なお、図２はバレル１に直接ノズルを取り付ける実施形態、図３，図４はバレル１にノズルアダプタ６を介して取り付ける実施形態を説明する図である。
【００２５】
図５は前方に短いミキシング部２０を備えたプランジャ２を説明する図である。前方に短いミキシング部２０を備えたプランジャ２を回転させながら計量させることで、成形材料に最適な程度の剪断をかけたり混練させたりすることが可能となる。また、加工に費用がかかるミキシング部長さを必要最低限とすることで、無用なコストアップを抑えることができる。
【００２６】
上述した本発明の実施形態によって、成形材料に剪断、混練をかけずに成形したり、あるいは意図的に剪断、混練を必要なだけかけて成形を行うことが可能となる。
【００２７】
なお、本発明の実施形態の射出成形機に用いられるノズル、プランジャ、バレル等を一般的なインライン式射出成形機のノズル、スクリュ、バレル等に交換するだけで、通常のフライト付きスクリュで可塑化、混練を行う射出成形も可能となるため、１台のインライン式射出成形機で、より幅広い成形材料への対応を、簡単にかつ安価な改造で行うことが可能となる。
【符号の説明】
【００２８】
１  バレル
２  プランジャ
３  成形材料注入口
４  成形材料注入装置
５  ノズル
６  ノズルアダプタ
７  逆流防止バルブ
８  射出装置のベース
９  リニアガイド
１０  プッシャプレート
１１  プランジャ回転用プーリ
１２  ロードセル
１３  射出用ボールネジ
１４  リアプレート
１５  フロントプレート
１６  バレルの第二の穴
１７  温調デバイス
１８  プランジャの最外径円筒部
１９  パッキン
２０  ミキシング部
２１  ボルト
２２  後端部
２３  バレル内径穴部
１００  射出装置
【図１】
2015085667.tif 000003
【図２】
2015085667.tif 000004
【図３】
2015085667.tif 000005
【図４】
2015085667.tif 000006
【図５】
2015085667.tif 000007
【手続補正書】
【提出日】平成27年3月16日(2015.3.16)
【手続補正１】
【補正対象書類名】明細書
【補正対象項目名】０００９
【補正方法】変更
【補正の内容】
【０００９】
本願の請求項１に係る発明は、射出装置を備え、バレルに設けられた内径部に供給された成形材料を金型内に射出して成形を行う成形サイクルを実行する射出成形機において、  前記バレルの前記内径部に配設され、最外径が円筒面で構成され、前後進と回転が可能なプランジャと、前記バレルにノズルが直接取り付けられている場合には該ノズルに設けられ、前記バレルに該ノズルがノズルアダプタを介して取り付けられている場合には該ノズル又は該ノズルアダプタに設けられた前記プランジャの前方に液状の成形材料を注入させる成形材料注入部と、前記成形サイクルの計量工程において前記成形材料注入部から注入された前記液状の成形材料の圧力に基づいて前記プランジャの後退動作を制御する制御装置と、を備え、前記バレルの根元部に前記バレルの前記内径部に通じる第二の穴部が設けられていることを特徴とする射出成形機である。
【手続補正２】
【補正対象書類名】明細書
【補正対象項目名】００１１
【補正方法】変更
【補正の内容】
【００１１】
請求項４に係る発明は、前記バレルにノズルが直接取り付けられている場合には該ノズルの内径部、前記バレルに該ノズルがノズルアダプタを介して取り付けられている場合には該ノズルの内径部又は該ノズルアダプタの内径部に、又は前記バレル前端の内径部に、液状の成形材料のバックフロー防止用のパッキンを備えていることを特徴とする請求項１〜３の何れか一つに記載の射出成形機である。
請求項５に係る発明は、前記プランジャの先端部にミキシング部を備え、該プランジャを回転させながら計量を行うことを特徴とする請求項１〜４の何れか一つに記載の射出成形機である。
【手続補正３】
【補正対象書類名】特許請求の範囲
【補正対象項目名】全文
【補正方法】変更
【補正の内容】
【特許請求の範囲】
【請求項１】
射出装置を備え、バレルに設けられた内径部に供給された成形材料を金型内に射出して成形を行う成形サイクルを実行する射出成形機において、
前記バレルの前記内径部に配設され、最外径が円筒面で構成され、前後進と回転が可能なプランジャと、
前記バレルにノズルが直接取り付けられている場合には該ノズルに設けられ、前記バレルに該ノズルがノズルアダプタを介して取り付けられている場合には該ノズル又は該ノズルアダプタに設けられた前記プランジャの前方に液状の成形材料を注入させる成形材料注入部と、
前記成形サイクルの計量工程において前記成形材料注入部から注入された前記液状の成形材料の圧力に基づいて前記プランジャの後退動作を制御する制御装置と、
を備え、
前記バレルの根元部に前記バレルの前記内径部に通じる第二の穴部が設けられていることを特徴とする射出成形機。
【請求項２】
前記成形材料注入部に、前記液状の成形材料の逆流を防止する逆流防止弁を備えたことを特徴とする請求項１に記載の射出成形機。
【請求項３】
前記射出装置の射出装置のベースに取り付けられたリニアガイドに支持され、前記プランジャに前後進力を伝えるプッシャプレートを備え、
前記制御装置は、前記プッシャプレートを駆動することにより背圧を０から１ＭＰａの低圧で制御可能であることを特徴とする請求項１または２の何れか一つに記載の射出成形機。
【請求項４】
前記バレルにノズルが直接取り付けられている場合には該ノズルの内径部、前記バレルに該ノズルがノズルアダプタを介して取り付けられている場合には該ノズルの内径部又は該ノズルアダプタの内径部に、又は前記バレル前端の内径部に、液状の成形材料のバックフロー防止用のパッキンを備えていることを特徴とする請求項１〜３の何れか一つに記載の射出成形機。
【請求項５】
前記プランジャの先端部にミキシング部を備え、該プランジャを回転させながら計量を行うことを特徴とする請求項１〜４の何れか一つに記載の射出成形機。